(57)【特許請求の範囲】
【請求項１】
同時に複数の周波数帯域を用いて複数の基地局と通信接続が可能な端末装置と通信する基地局であって、
前記端末装置が通信に必要とする通信リソースの大きさを示す端末リソース情報を取得する取得部と、
前記取得部が取得した前記端末リソース情報と、通信に使用する周波数帯域において通信に割り当て可能な通信リソースの大きさを示す情報とに基づいて、いくつの周波数帯域を同時に用いて通信接続を行うかを制御する制御部と、
を備える基地局。
【請求項２】
前記制御部は、
前記端末装置が通信に必要とする通信リソースの大きさを前記通信に使用する周波数帯域において割り当てられたか否かを判定し、該割り当てられなかったと判定した場合のみ、より多くの周波数帯域を同時に用いた通信接続の要求を前記端末装置に出力する、
請求項１に記載の基地局。
【請求項３】
前記制御部は、
前記端末装置が通信に必要とする通信リソースの大きさを前記より多くの周波数帯域を同時に用いた通信接続を行うことで割り当てられると判定した場合のみ、前記より多くの周波数帯域を同時に用いた通信接続の要求を前記端末装置に出力する、
請求項２に記載の基地局。
【請求項４】
前記制御部は、
前記端末装置が通信に必要とする通信リソースの大きさが所定の閾値未満の場合のみ、前記より多くの周波数帯域を同時に用いた通信接続の要求を前記端末装置に出力する、
請求項２または請求項３に記載の基地局。
【請求項５】
前記制御部は、
前記同時に複数の周波数帯域を用いた通信接続中に、通信接続中の一部の周波数帯域のみで必要な通信リソースが割り当てられると判定した場合、当該一部の周波数帯域以外の周波数帯域を用いた通信接続を解除する、
請求項１から請求項４のいずれか一項に記載の基地局。
【請求項６】
前記制御部は、
前記同時に複数の周波数帯域を用いた通信接続中に、前記端末装置が通信に必要とする通信リソースの大きさを割り当てられないと判定した場合、通信接続中の複数の周波数帯域のうちの一部の通信接続を解除する、
請求項１から請求項５のいずれか一項に記載の基地局。
【請求項７】
同時に複数の周波数帯域を用いて複数の基地局と通信接続が可能な端末装置と通信する基地局における通信制御方法であって、
取得部が、前記端末装置が通信に必要とする通信リソースの大きさを示す端末リソース情報を取得する取得過程と、
制御部が、前記取得部が取得した前記端末リソース情報と、通信に使用する周波数帯域において通信に割り当て可能な通信リソースの大きさを示す情報とに基づいて、いくつの周波数帯域を同時に用いて通信接続を行うかを制御する制御過程と、
を含む通信制御方法。
【請求項８】
同時に複数の周波数帯域を用いて複数の基地局と通信接続が可能な端末装置と通信する基地局としてのコンピュータに、
前記端末装置が通信に必要とする通信リソースの大きさを示す端末リソース情報を取得する取得手順と、
前記取得手順で取得した前記端末リソース情報と、通信に使用する周波数帯域において通信に割り当て可能な通信リソースの大きさを示す情報とに基づいて、いくつの周波数帯域を同時に用いて通信接続を行うかを制御する制御手順と、
を実行させるためのプログラム。
【発明の詳細な説明】
【技術分野】
【０００１】
本発明は、基地局、通信制御方法、及びプログラムに関する。
【背景技術】
【０００２】
無線通信システムの通信規格であるＬＴＥ（Ｌｏｎｇ  Ｔｅｒｍ  Ｅｖｏｌｕｔｉｏｎ）をさらに高度化した通信技術の通信規格としてＬＴＥ−Ａ（Ａｄｖａｎｃｅｄ）があり、その技術の１つにＣＡ（Ｃａｒｒｉｅｒ  Ａｇｇｒｅｇａｔｉｏｎ）機能がある。ＣＡとは、「システム全体の通信リソースの利用効率の向上(基地局側の要求)」や「通信速度の向上(端末装置側の要求、ユーザの要求)」のために、端末装置と基地局との間で通信をする際に、複数の周波数帯域を同時に使用して通信を行う技術である。ＣＡに対応した端末装置が、ＣＡ対応エリアの基地局と通信をする際には、通信を開始した時点で、基地局から端末装置にＣＡの開始を要求する。
【先行技術文献】
【非特許文献】
【０００３】
【非特許文献１】３ＧＰＰ  ＴＳ  ３６．３０６，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）;  Ｕｓｅｒ  Ｅｑｕｉｐｍｅｎｔ  （ＵＥ）  ｒａｄｉｏ  ａｃｃｅｓｓ  ｃａｐａｂｉｌｉｔｉｅｓ，３ｒｄ  Ｇｅｎｅｒａｔｉｏｎ  Ｐａｒｔｎｅｒｓｈｉｐ  Ｐｒｏｊｅｃｔ，２０１１年６月２４日，Ｖ１０．２．０
【発明の概要】
【発明が解決しようとする課題】
【０００４】
しかしながら、基地局からのＣＡ開始要求によってＣＡが開始されるため、基地局からＣＡ開始要求があると端末装置側は強制的にＣＡ接続となってしまう。そのため、例えば、１つの周波数帯域を用いた通信接続で十分な通信リソースが割り当てられている場合など、端末装置側にＣＡを使用するメリットがない場合でも、基地局からＣＡ開始要求が来ると、端末装置は強制的にＣＡを行わなければならなかった。その結果、端末装置は、必要がないにもかかわらず複数の無線通信機能を同時に動作させられることとなり、本来消費しなくて済むはずの電力が無駄に消費してしまうことがあった。
【０００５】
本発明は上記の点に鑑みてなされたものであり、無駄に複数の周波数帯域を同時に使用して通信を行うことを抑制し、消費電力を抑えることができる基地局、通信制御方法、及びプログラムを提供することを課題とする。
【課題を解決するための手段】
【０００６】
本発明は上記の課題を解決するためになされたものであり、本発明の一態様は、同時に複数の周波数帯域を用いて複数の基地局と通信接続が可能な端末装置と通信する基地局であって、前記基地局は、前記端末装置が通信に必要とする通信リソースの大きさを示す端末リソース情報を取得する取得部と、前記取得部が取得した前記端末リソース情報と、通信に使用する周波数帯域において通信に割り当て可能な通信リソースの大きさを示す情報とに基づいて、いくつの周波数帯域を同時に用いて通信接続を行うかを制御する制御部と、を備える基地局である。
【０００７】
また、本発明の一態様は、同時に複数の周波数帯域を用いて複数の基地局と通信接続が可能な端末装置と通信する基地局における通信制御方法であって、取得部が、前記端末装置が通信に必要とする通信リソースの大きさを示す端末リソース情報を取得する取得過程と、制御部が、前記取得部が取得した前記端末リソース情報と、通信に使用する周波数帯域において通信に割り当て可能な通信リソースの大きさを示す情報とに基づいて、いくつの周波数帯域を同時に用いて通信接続を行うかを制御する制御過程と、を含む通信制御方法である。
【０００８】
また、本発明の一態様は、同時に複数の周波数帯域を用いて複数の基地局と通信接続が可能な端末装置と通信する基地局としてのコンピュータに、前記端末装置が通信に必要とする通信リソースの大きさを示す端末リソース情報を取得する取得手順と、前記取得手順で取得した前記端末リソース情報と、通信に使用する周波数帯域において通信に割り当て可能な通信リソースの大きさを示す情報とに基づいて、いくつの周波数帯域を同時に用いて通信接続を行うかを制御する制御手順と、を実行させるためのプログラムである。
【発明の効果】
【０００９】
本発明によれば、無駄に複数の周波数帯域を同時に使用して通信を行うことを抑制し、消費電力を抑えることができる。
【図面の簡単な説明】
【００１０】
【図１】第１の実施形態による移動体通信システムの構成を示す概略ブロック図。
【図２】第１の実施形態による基地局の概略構成を示すブロック図。
【図３】第１の実施形態による端末装置の概略構成を示すブロック図。
【図４】第１の実施形態による通信制御処理の一例を示すフローチャート。
【図５】第２の実施形態による移動体通信システム１の通信処理の一例を説明する図。
【図６】ＳＣｅｌｌの候補が２つある場合の通信処理の一例を説明する説明図。
【図７】第２の実施形態による通信制御処理の一例を示すフローチャート。
【図８】第３の実施形態による移動体通信システムの通信処理の一例を説明する図。
【図９】第４の実施形態による移動体通信システムの通信処理の一例を説明する図。
【発明を実施するための形態】
【００１１】
以下、図面を参照して、本発明の実施形態について説明する。
[第１の実施形態]
図１は、第１の実施形態による移動体通信システム１の構成を示す概略ブロック図である。本実施形態による移動体通信システム１は、複数の基地局１０と、複数の端末装置２０（移動局装置、ＵＥ（Ｕｓｅｒ  Ｅｑｕｉｐｍｅｎｔ））とを含んで構成される。この図１では、一つの端末装置２０と、当該端末装置２０と通信可能な３つの基地局１０を例として示しているが、図示する基地局１０及び端末装置２０以外にも複数の基地局１０及び複数の端末装置２０が存在する。端末装置２０は、例えば多機能型携帯電話機（スマートフォンを含む）、タブレット端末装置等である。
【００１２】
本実施形態の移動体通信システム１では、基地局１０と端末装置２０との間の通信方式として、例えばＬＴＥ−Ａ方式を採用する。ＬＴＥ−Ａ方式では、セルをコンポーネントキャリアとみなし、端末装置２０が、一つのセルと接続して通信を行うことができるとともに、複数のセルと同時にＣＡ接続して通信を行うことができる。ここで、セルとは基地局１０のことを指している。
【００１３】
なお、端末装置２０がＣＡ接続する際のセルは、基本となる一つのプライマリーセル（Ｐｒｉｍａｒｙ  Ｃｅｌｌ;ＰＣｅｌｌ）と、追加される一つまたは複数のセカンダリーセル（Ｓｅｃｏｎｄａｒｙ  Ｃｅｌｌ;ＳＣｅｌｌ）とからなる。図１では、端末装置２０がＰＣｅｌｌとして接続する基地局１０と、ＳＣｅｌｌの候補となる基地局１０（候補１、候補２）とを示している。例えば、端末装置２０は、ＣＡ接続しない場合にはＰＣｅｌｌのみと無線通信を行い、ＣＡ接続する場合にはＰＣｅｌｌとＳＣｅｌｌと同時に無線通信を行う。なお、端末装置２０は、ＣＡ接続する際のＳＣｅｌｌは、図示するＳＣｅｌｌ（候補１）とＳＣｅｌｌ（候補２）のいずれか一方でもよいし、両方でもよい。また、ＣＡ接続する際のＳＣｅｌｌには、図示しない他の一または複数のＳＣｅｌｌが含まれてもよい。
【００１４】
ＰＣｅｌｌ、ＳＣｅｌｌ（候補１）、及びＳＣｅｌｌ（候補２）の周波数帯域は、同じバンド（Ｂａｎｄ、周波数帯域）（２ＧＨｚ帯など）に属していてもよいし、異なるバンドに属していてもよい。なお、同じバンドに属している複数のセルを集めてＣＡを行うことを、イントラバンド  キャリアアグリゲーション（ｉｎｔｒａ-ｂａｎｄ  ｃａｒｒｉｅｒ  ａｇｇｒｅｇａｔｉｏｎ）とも呼ばれ、異なるバンドに属している複数のセルを集めてＣＡを行うことを、インターバンド  キャリアアグリゲーション（ｉｎｔｅｒ-ｂａｎｄ  ｃａｒｒｉｅｒ  ａｇｇｒｅｇａｔｉｏｎ）とも呼ばれる。
【００１５】
なお、ＰＣｅｌｌ及びＳＣｅｌｌ共に、基地局１０から端末装置２０への送信であるダウンリンクと、端末装置２０から基地局１０への送信であるアップリンクとの両方が実行されてもよいし、いずれかが実行されてもよい。また、本実施形態における移動体通信システム１は、例えばＦＤＤ（Ｆｒｅｑｕｅｎｃｙ  Ｄｉｖｉｓｉｏｎ  Ｄｕｐｌｅｘ；周波数分割複信）方式であるが、ＴＤＤ（Ｔｉｍｅ  Ｄｉｖｉｓｉｏｎ  Ｄｕｐｌｅｘ；時分割複信）方式であってもよい。
【００１６】
（基地局の構成例）
図２は、本実施形態による基地局１０の概略構成を示すブロック図である。基地局１０は、通信部１１０と、制御部１２０とを備えている。通信部１１０は、送信部１１１と、受信部１１２とを備え、端末装置２０と所定の周波数帯域を用いて無線通信を行う。例えば、ＰＣｅｌｌ、ＳＣｅｌｌ（候補１）、及びＳＣｅｌｌ（候補２）のそれぞれの基地局１０の通信部１１０は、互いに異なるそれぞれの周波数帯域で、端末装置２０と通信可能である。なお、ＰＣｅｌｌ、ＳＣｅｌｌ（候補１）、及びＳＣｅｌｌ（候補２）のそれぞれの基地局１０の通信部１１０は、同じ周波数帯域で端末装置２０と通信してもよい。
【００１７】
制御部１２０は、取得部１２１と、ＲＢ割当部１２２と、通信制御部１２３とを含んで構成される。取得部１２１は、制御部１２０が通信部１１０を介して端末装置２０と通信開始した際に、端末装置２０で通信に必要なＲＢの値（大きさ）を示す端末リソース情報を端末装置２０から取得する。ＲＢ割当部１２２は、制御部１２０が通信部１１０を介して端末装置２０と通信開始した際に、基地局１０の一つの周波数帯域で端末装置２０と通信する際に用いるＲＢ（リソースブロック、通信リソース）を割り当てる。例えば、ＲＢ割当部１２２は、接続環境（電波環境、基地局１０に接続されているユーザ数（端末装置数）、データトラフィックなど）に応じてＲＢを割り当てる。ＲＢは常に最大で割り当てられるわけではなく、接続環境に応じて、逐次増減する。
【００１８】
通信制御部１２３は、取得部１２１が取得した端末リソース情報と、ＲＢ割当部１２２が一つの周波数帯域において通信に割り当てたＲＢの大きさとに基づいて、ＣＡ接続を行うか否かを制御する。例えば、通信制御部１２３は、端末装置２０で通信に必要なＲＢの大きさを、一つの周波数帯域において割り当てられたか否かを判定する。そして、通信制御部１２３は、端末装置２０で通信に必要なＲＢの大きさを、一つの周波数帯域において割り当てられなかったと判定した場合、ＣＡ接続の要求を端末装置２０に出力する。例えば、通信制御部１２３は、ＣＡ接続の要求を示すＣＡ接続要求を、通信部１１０を介して端末装置２０に送信する。一方、通信制御部１２３は、端末装置２０で通信に必要なＲＢの大きさを、一つのセルの周波数帯域において割り当てられたと判定した場合、ＣＡ接続要求を端末装置２０に出力しない。
【００１９】
（端末装置の構成例）
図３は、本実施形態による端末装置２０の概略構成を示すブロック図である。端末装置２０は、表示部２０１と、操作受付部２０２と、端末通信部２１０と、端末制御部２２０とを含んで構成されている。
【００２０】
表示部２０１は、例えば液晶ディスプレイや有機ＥＬ（Ｅｌｅｃｔｒｏ  Ｌｕｍｉｎｅｓｃｅｎｃｅ）ディスプレイを含んで構成され、端末装置２０のメニュー画面や基地局１０から受信した表示情報などを表示する。
操作受付部２０２は、ユーザによる操作入力を受け付け、受け付けた操作入力を示す操作入力信号を端末制御部２２０に出力する。操作受付部２０２は、操作デバイスとして、各種のボタンやキーなどの他、例えば表示部２０１と一体化されたタッチパネルなどを含んでもよい。
【００２１】
端末通信部２１０は、基地局１０と無線で、例えば、ＬＴＥ−Ａ方式を用いて通信を実行する。端末通信部２１０は、例えばＮ個（Ｎは正の整数）の第１送信部２１１−１〜第Ｎ送信部２１１−Ｎと、Ｎ個の第１受信部２１２−１〜第Ｎ受信部２１２−Ｎとを備えている。なお、以降の説明において、第１送信部２１１−１〜第Ｎ送信部２１１−Ｎについて特に区別しない場合には、送信部２１１と記載する。また、第１受信部２１２−１〜第Ｎ受信部２１２−Ｎについて特に区別しない場合には受信部２１２と記載する。
【００２２】
第１送信部２１１−１〜第Ｎ送信部２１１−Ｎは、それぞれ異なる周波数帯域を使用して送信を実行する。第１受信部２１２−１〜第Ｎ受信部２１２−Ｎは、それぞれ異なる周波数帯域の受信を実行する。例えば、ＰＣｅｌｌ及びＳＣｅｌｌとＣＡ接続して通信を行う際には、ＰＣｅｌｌの周波数帯域と、ＳＣｅｌｌの周波数帯域とのそれぞれに対応する複数の送信部２１１及び受信部２１２が使用される。
【００２３】
なお、第１送信部２１１−１〜第Ｎ送信部２１１−Ｎと第１受信部２１２−１〜第Ｎ受信部２１２−Ｎとにおいて共通化できる部位については共通化してよい。また、送信部２１１または受信部２１２が対応する周波数帯域において複数のセルを用いて送受信を行う場合には、送信部２１１または受信部２１２をセルごとに設けてもよい。
【００２４】
端末制御部２２０は、端末装置２０で通信に必要なＲＢを算出し、算出したＲＢを示す端末リソース情報を、端末通信部２１０を介して基地局１０へ送信する。また、端末制御部２２０は、基地局１０から送信されたＣＡ接続要求を端末通信部２１０を介して取得すると、取得したＣＡ接続要求に応じてＣＡ接続を実行する。
【００２５】
なお、端末装置２０は、端末装置２０で通信に必要なＲＢの大きさ等に応じて、基地局１０に対してＣＡ接続を要求するか否かを判定してもよい。例えば、端末制御部２２０は、ＣＡ接続を要求するか否かを判定して、ＣＡ接続を要求すると判定した場合、端末通信部２１０を介してＣＡ接続要求を基地局１０へ送信もよい。
【００２６】
次に、図４を参照して、本実施形態による通信制御処理の動作を説明する。
図４は、本実施形態による通信制御処理の一例を示すフローチャートである。
ここでは、基地局１０から端末装置２０へデータを送信（ダウンロード）する場合に、ＣＡ接続するか否かを制御する通信制御処理について説明するが、端末装置２０から基地局１０がデータを受信（アップロード）する場合にも、データの送信を受信に代えることで同様にＣＡ接続するか否かを制御することができる。また、ここでは、図１に示すＰＣｅｌｌの基地局１０が、端末装置２０と通信開始する際にＣＡ接続をするか否かを制御する例を説明する。
【００２７】
（ステップＳ１０１）ＰＣｅｌｌの基地局１０は、通信開始すると、端末装置２０へ送信するデータがあるか否かを判定する。送信するデータがない場合には（ステップＳ１０１：ＮＯ）、ＰＣｅｌｌの基地局１０は、通信を終了する。一方、送信するデータがある場合には（ステップＳ１０１：ＹＥＳ）、ステップＳ１０２の処理に進む。
（ステップＳ１０２）ＰＣｅｌｌの基地局１０は、端末装置２０から端末リソース情報を取得し、ステップＳ１０３の処理に進む。
（ステップＳ１０３）ＰＣｅｌｌの基地局１０は、ＰＣｅｌｌの周波数帯域で端末装置２０との通信に使用するＲＢを割り当てる。
【００２８】
（ステップＳ１０４）ＰＣｅｌｌの基地局１０は、端末装置２０から取得した端末リソース情報と、ＰＣｅｌｌの周波数帯域での通信に割り当てたＲＢの値とに基づいて、端末装置２０で必要なＲＢをＣＡ接続なしでも確保できているか否かを判定する。そして、ＰＣｅｌｌの基地局１０は、端末装置２０で必要なＲＢをＣＡ接続なしでも確保できていると判定した場合（ステップＳ１０４：ＹＥＳ）、ステップＳ１０５の処理へ進む。一方、ＰＣｅｌｌの基地局１０は、端末装置２０で必要なＲＢをＣＡ接続なしでは確保できないと判定した場合（ステップＳ１０４：ＮＯ）、ステップＳ１０６の処理へ進む。
【００２９】
（ステップＳ１０５）ＰＣｅｌｌの基地局１０は、ＣＡ接続をする必要が無いため、ＣＡ接続要求を送信しない。なお、ＰＣｅｌｌの基地局１０は、ＣＡ接続要求を端末装置２０から取得した場合には、当該ＣＡ接続要求を拒否してもよい。そして、ステップＳ１０１の処理に戻る。
【００３０】
（ステップＳ１０６）ＰＣｅｌｌの基地局１０は、ＣＡ接続なしではＲＢが不足しているため、ＣＡ接続要求を端末装置２０へ送信する。なお、ＰＣｅｌｌの基地局１０は、ＣＡ接続要求を端末装置２０から取得した場合には、当該ＣＡ接続要求を許可してもよい。
（ステップＳ３００）端末装置２０は、ＰＣｅｌｌの基地局１０、及びＳＣｅｌｌ（候補１）の基地局１０とＣＡ接続を行い、ＰＣｅｌｌの周波数帯域及びＳＣｅｌｌ（候補１）の周波数帯域を同時に用いて通信を行う。なお、ＣＡ接続が解除されると、ステップＳ１０１の処理に戻る。
【００３１】
以上説明したように、本実施形態による基地局１０は、同時に複数の周波数帯域を用いて端末装置２０と通信接続（例えば、ＣＡ接続）が可能である。基地局１０は、取得部１２１と、通信制御部１２３とを備えている。取得部１２１は、端末装置２０が通信に必要とするＲＢ（通信リソース）の大きさを示す端末リソース情報を取得する。通信制御部１２３は、取得部１２１が取得した端末リソース情報と、通信に使用する周波数帯域において通信に割り当て可能なＲＢ（通信リソース）の大きさを示す情報とに基づいて、いくつの周波数帯域を同時に用いて通信接続を行うかを制御する。例えば、通信制御部１２３は、取得部１２１が取得した端末リソース情報と、通信に使用する周波数帯域において通信に割り当て可能なＲＢ（通信リソース）の大きさを示す情報とに基づいて、ＣＡ接続（同時に複数の周波数帯域を用いた通信接続）を行うか否かを制御する。これにより、基地局１０は、通信に必要なＲＢの大きさと割り当て可能なＲＢの大きさとに応じて、例えばＣＡ接続を行うか否かを制御するので、無駄に複数の周波数帯域を同時に使用して通信を行うことを抑制し、消費電力を抑えることができる。
【００３２】
例えば、基地局１０の通信制御部１２３は、端末装置２０が通信に必要とするＲＢ（通信リソース）の大きさを、通信に使用する周波数帯域において割り当てられたか否かを判定し、該割り当てられなかったと判定した場合、より多くの周波数帯域を同時に用いた通信接続の要求（例えば、ＣＡ接続要求）を端末装置２０に出力し、該割り当てられたと判定した場合、より多くの周波数帯域を同時に用いた通信接続の要求（例えば、ＣＡ接続要求）を端末装置２０に出力しない。即ち、通信制御部１２３は、端末装置２０が通信に必要とするＲＢ（通信リソース）の大きさを、通信に使用する周波数帯域において割り当てられなかったと判定した場合のみ、より多くの周波数帯域を同時に用いた通信接続の要求（例えば、ＣＡ接続要求）を端末装置２０に出力する。これにより、基地局１０は、例えば一つの周波数帯域では通信に必要なＲＢを確保できないときのみＣＡ接続を行うので、無駄に複数の周波数帯域を同時に使用して通信を行うことを抑制し、消費電力を抑えることができる。
【００３３】
[第２の実施形態]
次に、本発明の第２の実施形態について説明する。
本実施形態では、基地局１０は、ＣＡ接続しても端末装置２０で通信に必要なＲＢを十分に確保できない場合には、ＣＡ接続要求を端末装置２０へ送信しない。即ち、基地局１０は、ＣＡ接続をしても十分にＲＢを確保できない場合には、端末装置２０で通信に必要なＲＢの確保をあきらめる。
【００３４】
図５は、本実施形態による移動体通信システム１の通信処理の一例を説明する説明図である。本実施形態による通信処理では、図示する（１）〜（３）の順に以下の処理が行われる。
（１）図示するように、ＰＣｅｌｌの基地局１０は、ＳＣｅｌｌの候補となる基地局１０に対して、十分なＲＢを割り当てられるか否かを問合せする。
（２）次に、ＳＣｅｌｌの候補となる基地局１０は、ＰＣｅｌｌで割り当て可能なＲＢとＳＣｅｌｌの候補で割り当て可能なＲＢとの合計で、十分なＲＢを割り当てられるか否かを判定し、判定結果をＰＣｅｌｌの基地局１０に送信する。
（３）ＰＣｅｌｌの基地局１０は、ＳＣｅｌｌの候補となる基地局１０から判定結果を取得すると、判定結果に応じてＣＡ接続要求を端末装置２０へ送信するか否かを制御する。例えば、ＰＣｅｌｌの基地局１０は、十分なＲＢを割り当てられないという判定結果を取得した場合には、ＣＡ接続要求を端末装置２０へ送信しない。なお、ＰＣｅｌｌの基地局１０は、端末装置２０からＣＡ接続要求を取得した場合には、そのＣＡ接続要求を拒否する。これにより、ＰＣｅｌｌの基地局１０は、ＣＡ接続を行わないで、端末装置２０と通信を行う。
【００３５】
なお、ＳＣｅｌｌの候補は、複数あってもよい。図６は、ＳＣｅｌｌの候補が２つある場合の通信処理の一例を説明する説明図である。図示するように、ＰＣｅｌｌの基地局１０及びＳＣｅｌｌ（候補１）となる基地局１０は、上述の（１）〜（３）の処理を行うとともに、ＰＣｅｌｌの基地局１０及びＳＣｅｌｌ（候補２）となる基地局１０も同様に、上述の（１）〜（３）の各処理と同様の（４）〜（６）の各処理を行う。例えば、ＰＣｅｌｌの基地局１０は、十分なＲＢを割り当てられないという判定結果をＳＣｅｌｌ（候補１）及びＳＣｅｌｌ（候補２）の両方から取得した場合には、ＣＡ接続要求を端末装置２０へ送信しない。なお、ＰＣｅｌｌの基地局１０は、端末装置２０からＣＡ接続要求を取得した場合には、そのＣＡ接続要求を拒否する。これにより、ＰＣｅｌｌの基地局１０は、ＣＡ接続を行わないで、端末装置２０と通信を行う。
【００３６】
次に、図７を参照して、本実施形態による通信制御処理の動作を説明する。
図７は、本実施形態による通信制御処理の一例を示すフローチャートである。
この図に示すステップＳ１０１〜Ｓ１０５、Ｓ３００の処理は図４に示すステップＳ１０１〜Ｓ１０５、Ｓ３００の処理と同様であり、その説明を適宜省略する。本実施形態では、図４のステップＳ１０６の処理に代えて、ステップＳ２０１〜Ｓ２０３の処理が行われる。
【００３７】
（ステップＳ２０１）ＰＣｅｌｌの基地局１０は、端末装置２０で必要なＲＢをＣＡ接続なしでは確保できないと判定した場合（ステップＳ１０４：ＮＯ）、ＳＣｅｌｌの候補となる基地局１０に対して、十分なＲＢを確保できるか否かを問合せする。上述したように、問合せるＳＣｅｌｌの候補は、一つでも複数でもよい。そして、十分なＲＢを確保できると判定された場合（ステップＳ２０１：ＹＥＳ）にはステップＳ２０２の処理に進み、十分なＲＢを確保できないと判定された場合（ステップＳ２０１：ＮＯ）にはステップＳ２０３の処理に進む。
【００３８】
（ステップＳ２０２）ＰＣｅｌｌの基地局１０は、ＣＡ接続要求を端末装置２０へ送信する。なお、ＰＣｅｌｌの基地局１０は、ＣＡ接続要求を端末装置２０から取得した場合には、当該ＣＡ接続要求を許可してもよい。
（ステップＳ３００）端末装置２０は、ＰＣｅｌｌの基地局１０と、ＳＣｅｌｌ（候補１）の基地局１０とＣＡ接続を行い、ＰＣｅｌｌの周波数帯域とＳＣｅｌｌ（候補１）の周波数帯域と同時に用いて通信を行う。なお、ＣＡ接続が解除されると、ステップＳ１０１の処理に戻る。
【００３９】
（ステップＳ２０３）ＰＣｅｌｌの基地局１０は、ＣＡ接続しても十分なＲＢを確保できないため、ＣＡ接続要求を送信しない。なお、ＰＣｅｌｌの基地局１０は、ＣＡ接続要求を端末装置２０から取得した場合には、当該ＣＡ接続要求を拒否してもよい。そして、ステップＳ１０１の処理に戻る。
【００４０】
以上説明したように、本実施形態の移動体通信システム１において、基地局１０の通信制御部１２３は、端末装置２０が通信に必要とする通信リソースの大きさを、より多くの周波数帯域を同時に用いた通信接続を行うことで割り当てられると判定した場合のみ、より多くの周波数帯域を同時に用いた通信接続の要求を端末装置２０に出力する。例えば、通信制御部１２３は、ＣＡ接続（同時に複数の周波数帯域を用いた通信接続）を行っても割り当てられないと判定した場合、ＣＡ接続要求を端末装置２０に出力しない。これにより、移動体通信システム１は、例えばＣＡ接続を行っても通信に必要なＲＢを確保できないときにはＣＡ接続を行わない（通信に必要なＲＢの確保をあきらめる）ので、無駄に複数の周波数帯域を同時に使用して通信を行うことを抑制し、消費電力を抑えることができる。
【００４１】
[第３の実施形態]
次に、本発明の第３の実施形態について説明する。
本実施形態では、ＣＡ接続中に、接続中の周波数帯域のうちのいずれかを使用しなくても、通信に必要なＲＢを確保できると基地局１０が判断した場合に、基地局１０はその周波数帯域についてＣＡ接続を解除（通信接続を停止）する例を説明する。
【００４２】
図８は、本実施形態による移動体通信システム１の通信処理の一例を説明する説明図である。本実施形態による通信処理では、図示する（１）〜（３）の順に以下の処理が行われる。
（１）端末装置２０は、ＰＣｅｌｌの基地局１０とＳＣｅｌｌの基地局１０とのそれぞれの周波数帯域で同時に通信するＣＡ接続中である。
（２）ＣＡ接続中において、ＰＣｅｌｌの基地局１０は、ＳＣｅｌｌの周波数帯域を用いなくてもＰＣｅｌｌの周波数帯域のみで、端末装置２０で通信に必要なＲＢを確保できるか否かを判定する。
（３）ＰＣｅｌｌの基地局１０は、端末装置２０で通信に必要なＲＢをＰＣｅｌｌの周波数帯域のみで確保できると判定した場合、ＳＣｅｌｌの周波数帯域でのＣＡ接続を解除する。これにより、ＰＣｅｌｌの基地局１０は、ＣＡ接続を解除して端末装置２０と通信を行う。
【００４３】
次に、本実施形態による通信制御処理の動作を説明する。
以下に説明するステップＳ３０１〜Ｓ３０５の通信制御処理は、ＣＡ接続中の処理であって、例えば図４及び図７のステップＳ３００のＣＡ接続処理に対応する。
【００４４】
（ステップＳ３０１）ＰＣｅｌｌの基地局１０は、ＣＡ接続を開始すると、端末装置２０へ送信するデータがあるか否かを判定する。送信するデータがない場合には（ステップＳ３０１：ＮＯ）、ＰＣｅｌｌの基地局１０は、通信を終了する。一方、送信するデータがある場合には（ステップＳ３０１：ＹＥＳ）、ＣＡ接続による通信を行うとともに、ステップＳ３０２の処理に進む。
（ステップＳ３０２）ＰＣｅｌｌの基地局１０は、端末装置２０から端末リソース情報を取得し、ステップＳ３０３の処理に進む。
（ステップＳ３０３）ＰＣｅｌｌの基地局１０は、現在の接続状況に応じてＰＣｅｌｌの周波数帯域で端末装置２０との通信に使用するＲＢを割り当てる。
【００４５】
（ステップＳ３０４）ＰＣｅｌｌの基地局１０は、端末装置２０から取得した端末リソース情報と、ＰＣｅｌｌの周波数帯域での通信に割り当てたＲＢの値とに基づいて、端末装置２０で通信に必要なＲＢをＰＣｅｌｌの周波数帯域のみで確保できているか否かを判定する。そして、ＰＣｅｌｌの基地局１０は、端末装置２０で通信に必要なＲＢをＰＣｅｌｌの周波数帯域のみで確保できていないと判定した場合（ステップＳ３０４：ＮＯ）、ステップＳ３０１の処理へ戻り、ＣＡ接続を継続する。一方、ＰＣｅｌｌの基地局１０は、端末装置２０で通信に必要なＲＢをＰＣｅｌｌの周波数帯域のみで確保できていると判定した場合（ステップＳ３０４：ＹＥＳ）、ステップＳ３０５の処理へ進む。
【００４６】
（ステップＳ３０５）ＰＣｅｌｌの基地局１０は、ＣＡ接続を解除し、ＰＣｅｌｌの周波数帯域のみで端末装置２０と通信を行う（図４及び図７のステップＳ１０１の処理へ戻る）。
【００４７】
なお、上述した例では、ＰＣｅｌｌと１つのＳＣｅｌｌによるＣＡ接続から、該ＳＣｅｌｌの接続を解除する例を説明したが、ＰＣｅｌｌと複数のＳＣｅｌｌによるＣＡ接続から、一または複数のＳＣｅｌｌの接続を解除してもよい。
例えば、端末装置２０がＰＣｅｌｌ、ＳＣｅｌｌ（Ａ）、及びＳＣｅｌｌ（Ｂ）とＣＡ接続中であったとすると、端末装置２０で通信に必要なＲＢをＰＣｅｌｌの周波数帯域のみで確保できるようになった場合、ＳＣｅｌｌ（Ａ）及びＳＣｅｌｌ（Ｂ）とのＣＡ接続を解除して、ＰＣｅｌｌの基地局１０と端末装置２０とが通信を行ってもよい。また、端末装置２０がＰＣｅｌｌ、ＳＣｅｌｌ（Ａ）、及びＳＣｅｌｌ（Ｂ）とＣＡ接続中に、端末装置２０で通信に必要なＲＢをＰＣｅｌｌの周波数帯域とＳＣｅｌｌの周波数帯域とで確保できるようになった場合、ＳＣｅｌｌ（Ｂ）とのＣＡ接続を解除して、ＰＣｅｌｌの基地局１０とＳＣｅｌｌ（Ａ）の基地局１０と端末装置２０とでＣＡ接続による通信を行ってもよい。
【００４８】
以上説明したように、本実施形態による移動体通信システム１において、基地局１０の通信制御部１２３は、ＣＡ接続中（同時に複数の周波数帯域を用いた通信接続中）に、ＣＡ接続中の一部の周波数帯域のみで必要なＲＢ（通信リソース）が割り当てられると判定した場合、当該一部の周波数帯域以外の周波数帯域を用いた通信接続を解除する。これにより、基地局１０は、ＣＡ接続中にＲＢの確保に必要のない周波数帯域を用いた通信接続を解除するので、無駄に複数の周波数帯域を同時に使用して通信を行うことを抑制し、消費電力を抑えることができる。
【００４９】
[第４の実施形態]
次に、本発明の第４の実施形態について説明する。
本実施形態では、ＣＡ接続中に、必要なＲＢを確保できなくなったと基地局１０が判断した場合に、基地局１０がＣＡ接続を解除する例を説明する。
【００５０】
図９は、本実施形態による移動体通信システム１の通信処理の一例を説明する説明図である。本実施形態による通信処理では、図示する（１）〜（３）の順に以下の処理が行われる。
（１）端末装置２０は、ＰＣｅｌｌの基地局１０とＳＣｅｌｌの基地局１０とのそれぞれの周波数帯域で同時に通信するＣＡ接続中である。
（２）ＣＡ接続中において、ＰＣｅｌｌの基地局１０は、端末装置２０で通信に必要なＲＢをＰＣｅｌｌの周波数帯域とＳＣｅｌｌの周波数帯域とで確保できているか否かを判定する。
（３）ＰＣｅｌｌの基地局１０は、端末装置２０で通信に必要なＲＢをＰＣｅｌｌの周波数帯域とＳＣｅｌｌの周波数帯域とで確保できなくなったと判定した場合、ＳＣｅｌｌの周波数帯域でのＣＡ接続を解除する。即ち、基地局１０は、ＣＡ接続をしても十分にＲＢを確保できない場合には、端末装置２０で通信に必要なＲＢの確保をあきらめる。これにより、ＰＣｅｌｌの基地局１０は、ＣＡ接続を解除して端末装置２０と通信を行う。
【００５１】
次に、本実施形態による通信制御処理の動作を説明する。
以下に説明するステップＳ３１１〜Ｓ３１５の通信制御処理は、ＣＡ接続中の処理であって、例えば図４及び図７のステップＳ３００のＣＡ接続処理に対応する。
【００５２】
（ステップＳ３１１）ＰＣｅｌｌの基地局１０は、ＣＡ接続を開始すると、端末装置２０へ送信するデータがあるか否かを判定する。送信するデータがない場合には（ステップＳ３１１：ＮＯ）、ＰＣｅｌｌの基地局１０は、通信を終了する。一方、送信するデータがある場合には（ステップＳ３１１：ＹＥＳ）、ＣＡ接続による通信を行うとともに、ステップＳ３１２の処理に進む。
（ステップＳ３１２）ＰＣｅｌｌの基地局１０は、端末装置２０から端末リソース情報を取得し、ステップＳ３１３の処理に進む。
（ステップＳ３１３）ＰＣｅｌｌの基地局１０は、現在の接続状況に応じてＰＣｅｌｌの周波数帯域で端末装置２０との通信に使用するＲＢを割り当てる。また、ＰＣｅｌｌの基地局１０は、ＳＣｅｌｌの基地局１０から、ＳＣｅｌｌの周波数帯域で割り当てられたＲＢ（端末装置２０との通信に使用するＲＢ）の値を取得する。
【００５３】
（ステップＳ３１４）ＰＣｅｌｌの基地局１０は、端末装置２０から取得した端末リソース情報と、ＰＣｅｌｌ及びＳＣｅｌｌの周波数帯域での通信に割り当てたＲＢの値とに基づいて、端末装置２０で通信に必要なＲＢを確保できなくなったか否かを判定する。そして、ＰＣｅｌｌの基地局１０は、端末装置２０で通信に必要なＲＢを確保できていると判定した場合（ステップＳ３１４：ＮＯ）、ステップＳ３１１の処理へ戻り、ＣＡ接続を継続する。一方、ＰＣｅｌｌの基地局１０は、端末装置２０で通信に必要なＲＢを確保できなくなったと判定した場合（ステップＳ３１４：ＮＯ）、ステップＳ３１５の処理へ進む。
【００５４】
（ステップＳ３１５）ＰＣｅｌｌの基地局１０は、ＣＡ接続を解除し、ＰＣｅｌｌの周波数帯域のみで端末装置２０と通信を行う（図４及び図７のステップＳ１０１の処理へ戻る）。
【００５５】
なお、上述した例では、端末装置２０で通信に必要なＲＢを確保できなくなったか否かをＰＣｅｌｌの基地局１０が判定したが、ＳＣｅｌｌの基地局１０が判定して判定結果をＰＣｅｌｌの基地局１０へ送信してもよい。
また、上述した例では、ＰＣｅｌｌと１つのＳＣｅｌｌによるＣＡ接続から、該ＳＣｅｌｌの接続を解除する例を説明したが、ＰＣｅｌｌと複数のＳＣｅｌｌによるＣＡ接続から、一または複数のＳＣｅｌｌの接続を解除してもよい。例えば、端末装置２０がＰＣｅｌｌ、ＳＣｅｌｌ（Ａ）、及びＳＣｅｌｌ（Ｂ）とＣＡ接続中であったとすると、ＳＣｅｌｌ（Ａ）とＳＣｅｌｌ（Ｂ）とで十分なＲＢを確保できなくなった場合、ＳＣｅｌｌ（Ａ）とＳＣｅｌｌ（Ｂ）との接続を解除して、ＰＣｅｌｌの基地局１０と端末装置２０とが通信を行ってもよい。また、端末装置２０がＰＣｅｌｌ、ＳＣｅｌｌ（Ａ）、及びＳＣｅｌｌ（Ｂ）とＣＡ接続中に、ＳＣｅｌｌ（Ｂ）で十分なＲＢを確保できなくなった場合には、ＳＣｅｌｌ（Ｂ）の接続を解除して、ＰＣｅｌｌ及びＳＣｅｌｌ（Ａ）のそれぞれの基地局１０と端末装置２０とでＣＡ接続による通信を行ってもよい。
【００５６】
以上説明したように、本実施形態による移動体通信システム１において、基地局１０の通信制御部１２３は、ＣＡ接続中（同時に複数の周波数帯域を用いた通信接続中）に、端末装置２０で通信に必要なＲＢ（通信リソース）の大きさを割り当てられないと判定した場合、ＣＡ接続中の複数の周波数帯域のうちの一部の通信接続を解除する。これにより、基地局１０は、ＣＡ接続中に、通信に必要なＲＢを確保できなくなった場合にはＣＡ接続を解除する（通信に必要なＲＢの確保をあきらめる）ので、無駄に複数の周波数帯域を同時に使用して通信を行うことを抑制し、消費電力を抑えることができる。
【００５７】
[第５の実施形態]
次に、本発明の第５の実施形態について説明する。
本実施形態では、ＰＣｅｌｌの基地局１０がＣＡ接続要求を送信しない場合であっても、端末装置２０からＣＡ接続要求を取得した場合にはＣＡ接続を行う。例えば、ＰＣｅｌｌの基地局１０は、ＣＡ接続を行わなくても端末装置２０で通信に必要なＲＢを確保できることによりＣＡ接続要求を送信しない場合（第１の実施形態参照）、またはＣＡ接続中にＣＡ接続を行わなくても端末装置２０で通信に必要なＲＢを確保できるようになったことによりＣＡ接続を解除した場合（第３の実施形態参照）であっても、その後、端末装置２０からＣＡ接続要求を取得した場合にはＣＡ接続を行う。例えば、端末装置２０は。例えば、アプリケーションのダウンロードを開始したこと等により一定時間以上継続的に必要なＲＢが増大した場合に、接続中のＰＣｅｌｌの基地局１０に対してＣＡ接続要求を送信する。
【００５８】
このように、本実施形態による移動体通信システム１において、基地局１０は、一旦ＣＡ接続（同時に複数の周波数帯域を用いた通信接続）を行わないと判断した場合でも、端末装置２０で必要なＲＢ（通信リソース）が増大したときにはＣＡ接続に移行するので、必要に応じて複数の周波数帯域を同時に使用して通信を行うことができる。
【００５９】
[第６の実施形態]
次に、本発明の第６の実施形態について説明する。
本実施形態では、ＰＣｅｌｌの基地局１０は、端末装置２０で通信に必要なＲＢが所定の閾値未満の場合のみ、より多くの周波数帯域を同時に用いた通信接続の要求を端末装置２０に出力する。即ち、基地局１０は、端末装置２０で通信に必要なＲＢが所定の閾値以上の場合にはＣＡ接続要求を送信しない。または、ＰＣｅｌｌの基地局１０は、端末装置２０で通信に必要なＲＢが所定の閾値以上の場合には、端末装置２０からＣＡ接続要求を取得しても拒否する。即ち、本実施形態では、端末装置２０で通信に必要なＲＢが所定の閾値以上の場合にはＲＢの確保をあきらめる。ここで、所定の閾値は、ＣＡ接続したとしても確保できないＲＢの大きさであると判定するための閾値であって、移動体通信システム１の通信仕様に応じて任意に設定することができる。
【００６０】
このように、本実施形態による移動体通信システム１において、基地局１０の通信制御部１２３は、端末装置２０が通信に必要とするＲＢ（通信リソース）の大きさが所定の閾値以上の場合、ＣＡ接続要求を端末装置２０に出力しないので、無駄に複数の周波数帯域を同時に使用して通信を行うことを抑制し、消費電力を抑えることができる。
【００６１】
なお、上述した実施形態における基地局１０または端末装置２０の一部、例えば、制御部１２０または端末制御部２２０の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、基地局１０または端末装置２０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６２】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、上述の第１から第６の実施形態において説明した各構成は、任意に組み合わせることができる。
【００６３】
また、上記実施形態において、基地局１０が、端末装置２０から通信に必要なＲＢ（通信リソース）の大きさを示す端末リソース情報を取得する例を説明したが、これに限られるものではない。例えば、基地局１０は、端末装置２０が必要とするＲＢ（通信リソース）の大きさを知っている場合には、上記端末リソース情報を端末装置２０から取得しなくてもよい。ここで、端末装置２０が必要とするＲＢ（通信リソース）の大きさを知っている場合とは、例えば、基地局１０が自律的に端末装置２０に対してプッシュ配信を行う場合等である。
【００６４】
また、上記実施形態では、ＬＴＥ−ＡにおけるＣＡ（キャリアアグリゲーション）を例にして説明したが、これに限られるものではなく、例えば、リンクアグリゲーション（ＬＴＥ、ＷｉＦｉ（登録商標）、３Ｇなど異なるネットワークとのアグリゲーション）や、ヘテロジーニアスネットワーク環境(様々なネットワークが混在する環境)下などでも適用可能である。
【符号の説明】
【００６５】
１  移動体通信システム、１０  基地局、２０  端末装置、１１０  通信部、１１１  送信部、１１２  受信部、１２０  制御部、１２１  取得部、１２２  ＲＢ割当部、１２３  通信制御部、２０１  表示部、２０２  操作受付部、２１０  端末通信部、２１１  送信部、２１２  受信部、２２０  端末制御部
【図１】
0006511696.tif 000002
【図２】
0006511696.tif 000003
【図３】
0006511696.tif 000004
【図４】
0006511696.tif 000005
【図５】
0006511696.tif 000006
【図６】
0006511696.tif 000007
【図７】
0006511696.tif 000008
【図８】
0006511696.tif 000009
【図９】
0006511696.tif 000010